(57)【要約】【課題】部品コスト及び作業コストの増大を抑制しながら、箱体内に並置された空瓶等の空容器内への紙粉等の塵の侵入を効果的に防止することができる、実用性の高い防塵カバー及び防塵カバーを備えた箱体を提供する。【解決手段】防塵カバーを備えた箱体１１を、外箱である段ボール箱１２、段ボール箱１２内の下部に収容され、空瓶Ａ，Ａ，…を整列するための容器挿入穴８Ａ，８Ａ，…が形成された支持体７、及び、支持体７により整列され段ボール箱１２内に収納された状態の空瓶Ａ，Ａ，…上に載置され、空瓶Ａ，Ａ，…内への紙粉等の塵の侵入を防止する防塵カバー１により構成し、防塵カバー１を、水平板材２と水平板材２の下面に添設されたフィルム材３により構成した。【選択図】図２
2011016552.tif 000002
【特許請求の範囲】
【請求項１】
水平板材と該水平板材の下面に添設されたフィルム材とからなり、箱内に収納された空容器上に載置された状態で前記空容器の口部を前記フィルム材で封止する防塵カバー。
【請求項２】
前記水平板材の前記空容器の口部に対応する各位置に、前記口部の外径よりも大きい穴を形成してなる請求項１記載の防塵カバー。
【請求項３】
水平板材と該水平板材の上面に添設されたフィルム材とからなり、箱内に収納された空容器の口部に対応する前記水平板材の各位置に、前記口部の外径よりも大きい穴を形成してなり、前記空容器上に載置された状態で前記空容器の口部を前記フィルム材で封止する防塵カバー。
【請求項４】
前記水平板材下面の前記空容器の口部に対応する各位置に、前記口部の外径よりも大きい凹部又は前記口部内に入る凸部を形成してなる請求項１記載の防塵カバー。
【請求項５】
水平板材の周端縁から延出する折曲げ舌片又は前記水平板材の周端部に複数の取付穴を形成し、これらの取付穴を覆うように下側からフィルム材を添わせた状態で前記取付穴に嵌合片を嵌合させることにより前記フィルム材を挟み込んで取り付けるとともに、箱内に収納された空容器の口部に対応する前記水平板材の各位置に、前記口部の外径よりも大きい穴を形成してなり、前記空容器上に載置された状態で前記口部を前記フィルム材で封止する防塵カバー。
【請求項６】
開口部を囲む水平枠材と該水平枠材に添設されて前記開口部を塞ぐフィルム材とからなり、箱内に収納された空容器上に載置された状態で前記空容器の口部を前記フィルム材で封止する防塵カバー。
【請求項７】
前記水平枠材の周端縁から延出する折曲げ舌片に複数の取付穴を形成し、これらの取付穴を覆うように前記フィルム材を添わせた状態で前記取付穴に嵌合片を嵌合させることにより前記フィルム材を挟み込んで取り付けてなる請求項６記載の防塵カバー。
【請求項８】
箱内に収納する空容器を整列させる、容器挿入穴が形成された矩形水平板材と、
該矩形水平板材の一対の対辺から延出し、下方へ折り曲げられる一対の第１折曲げ舌片と、
該第１折曲げ舌片を折り曲げた状態で、その下端部から延出し、外側かつ上方へ前記第１折曲げ舌片に添って前記矩形水平板材よりも上側まで延びる一対の第２折曲げ舌片と、
該第２折曲げ舌片により支持され、前記矩形水平板材から上側に離間した状態で張架されるフィルム材とからなり、
前記容器挿入穴内に挿入され、箱内に収納された空容器の口部を前記フィルム材で封止する防塵カバー。
【請求項９】
箱と、
該箱内に収納する空容器を整列させる、前記空容器の高さよりも高さが低い、容器挿入穴が形成された支持体又は井桁状の仕切体と、
水平板材及び該水平板材の下面に添設されたフィルム材からなる防塵カバーとを備え、
前記箱を閉じた状態で前記空容器の口部を前記フィルム材で封止する、防塵カバーを備えた箱体。
【請求項１０】
前記箱内に収納された空容器の口部に対応する前記防塵カバーの水平板材の各位置に、前記口部の外径よりも大きい穴を形成してなる請求項９記載の防塵カバーを備えた箱体。
【請求項１１】
箱と、
該箱内に収納する空容器を整列させる、前記空容器の高さよりも高さが低い、容器挿入穴が形成された支持体又は井桁状の仕切体と、
水平板材の周端縁から延出する折曲げ舌片又は前記水平板材の周端部に複数の取付穴を形成し、これらの取付穴を覆うように下側からフィルム材を添わせた状態で前記取付穴に嵌合片を嵌合させることにより前記フィルム材を挟み込んで取り付けるとともに、前記箱内に収納された空容器の口部に対応する前記水平板材の各位置に、前記口部の外径よりも大きい穴を形成してなる防塵カバーとを備え、
前記箱を閉じた状態で前記空容器の口部を前記フィルム材で封止する、防塵カバーを備えた箱体。
【請求項１２】
前記箱を閉じた状態で前記防塵カバーを下側に押圧する押圧手段を備えてなる請求項９〜１１のいずれかに記載の防塵カバーを備えた箱体。
【発明の詳細な説明】
【技術分野】
【０００１】
本発明は、箱体内に並置された空容器内への紙粉等の侵入を防止するために空容器の口部を塞ぐ防塵カバー及びこの防塵カバーを備えた箱体に関するものである。
【背景技術】
【０００２】
ガラス瓶は、気密性が高く雑菌の侵入を阻止することができるため保存性が高いという特長があることから、薬品メーカー又は食品メーカー等によって多数使用されている。
しかしながら、ガラス瓶は、脆性材料であるガラス製であることから割れやすく、また重量が重くなるという欠点もあるため、その輸送の際には破損防止のための十分な配慮が必要になる（例えば、特許文献１参照。）。
また、薬品メーカー又は食品メーカー等が、製品である薬品又は食品等を収容する容器としてガラス瓶を仕入先から仕入れた際には、仕入先から多数の空瓶が段ボール箱内に並置された状態で届けられるのが一般的であり、空瓶の輸送又は運搬の際には、段ボール箱内に井桁状の仕切を入れることにより（例えば、特許文献２及び３参照。）、空瓶同士が直接接触しない状態を保持するようにして破損を防止している。
【先行技術文献】
【特許文献】
【０００３】
【特許文献１】実開平４−１２１２２７号公報
【特許文献２】特開２００４−３３１１６０号公報
【特許文献３】特開２００８−２６０５６３号公報
【発明の概要】
【発明が解決しようとする課題】
【０００４】
仕入れ先が空瓶を洗浄して段ボール箱内に収納したとしても、空瓶には蓋がないため輸送又は運搬の際に段ボール箱や仕切の紙粉が空瓶内に侵入してしまい、仕入れ元（エンドユーザー）である薬品メーカー又は食品メーカー等において、空瓶の洗浄作業に必要以上の手間が掛かる場合があることから、空瓶内への塵の侵入を防止するニーズがある。
また、空瓶に多くの紙粉等が侵入、付着している場合には、仕入元から仕入れ先に対してクレームが付く場合があり、仕入れ先にとっても空瓶内への塵の侵入を防止することの意義は大きい。
ここで、空瓶内への塵の侵入を防止する方策として、空瓶を梱包する際に空瓶の全てに仮の栓やキャップをすること又はシュリンク包装して空瓶の口部を塞ぐことが考えられるが、このような方策では部品コスト及び作業コストが大幅に増大してしまうため、実用的な解決策にはならない。
【０００５】
そこで本発明が前述の状況に鑑み、解決しようとするところは、部品コスト及び作業コストの増大を抑制しながら、箱内に並置された空瓶等の空容器内への紙粉等の塵の侵入を効果的に防止することができる、実用性の高い防塵カバー及び防塵カバーを備えた箱体を提供する点にある。
【課題を解決するための手段】
【０００６】
本発明に係る防塵カバーは、前記課題解決のために、水平板材と該水平板材の下面に添設されたフィルム材とからなり、箱内に収納された空容器上に載置された状態で前記空容器の口部を前記フィルム材で封止することを特徴とする。
このような構成によれば、空容器上に防塵カバーを載置するだけで空容器の口部がフィルム材により封止されるため、部品コスト及び作業コストの増大を抑制しながら、空容器
内への紙粉等の塵の侵入を効果的に防止することができる。
【０００７】
ここで、前記水平板材の前記空容器の口部に対応する各位置に、前記口部の外径よりも大きい穴を形成してなると好ましい。
このような構成によれば、梱包完了状態でフィルム材を水平板材の穴内で上方へ弾性変形させることにより、輸送時等に変動荷重が作用して箱が振動してもフィルム材が空容器の口部に密着した状態を保持する効果が高くなるため、空容器内への紙粉等の塵の侵入防止効果がさらに高くなる。
その上、フィルム材を弾性変形させた状態では、空容器の水平方向への移動が規制されて隣り合う空容器同士の衝突が抑制されることから、空容器を整列するための仕切体等の上下方向の高さを低くすることができるため、仕切体等の材料使用量を少なくすることができる。
【０００８】
また、本発明に係る防塵カバーは、前記課題解決のために、水平板材と該水平板材の上面に添設されたフィルム材とからなり、箱内に収納された空容器の口部に対応する前記水平板材の各位置に、前記口部の外径よりも大きい穴を形成してなり、前記空容器上に載置された状態で前記空容器の口部を前記フィルム材で封止することを特徴とする。
このような構成によっても前記防塵カバーと同様の作用効果を奏する。
【０００９】
さらに、前記水平板材下面の前記空容器の口部に対応する各位置に、前記口部の外径よりも大きい凹部又は前記口部内に入る凸部を形成してなると好ましい。
このような構成によれば、前記凹部を形成したものでは、梱包完了状態でフィルム材を水平板材下面の凹部内で上方へ弾性変形させることにより、輸送時等に変動荷重が作用して箱が振動してもフィルム材が空容器の口部に密着した状態を保持する効果が高くなるため、空容器内への紙粉等の塵の侵入防止効果がさらに高くなる。
その上、前記凹部を形成したものではフィルム材を弾性変形させた状態で空容器の水平方向への移動が規制されて隣り合う空容器同士の衝突が抑制され、前記凸部を形成したものでは凸部が空容器の口部内に入って空容器の水平方向への移動が規制されて隣り合う空容器同士の衝突が抑制されることから、空容器を整列するための仕切体等の上下方向の高さを低くすることができるため、仕切体等の材料使用量を少なくすることができる。
【００１０】
さらにまた、本発明に係る防塵カバーは、前記課題解決のために、水平板材の周端縁から延出する折曲げ舌片又は前記水平板材の周端部に複数の取付穴を形成し、これらの取付穴を覆うように下側からフィルム材を添わせた状態で前記取付穴に嵌合片を嵌合させることにより前記フィルム材を挟み込んで取り付けるとともに、箱内に収納された空容器の口部に対応する前記水平板材の各位置に、前記口部の外径よりも大きい穴を形成してなり、前記空容器上に載置された状態で前記口部を前記フィルム材で封止することを特徴とする。
このような構成によれば、前記防塵カバーと同様の作用効果に加え、接着等によらずにフィルム材を容易に取り付けて防塵カバーを構成することができるとともに、嵌合片を取り外すことによりフィルム材を水平板材から容易に分離することができるため、これらを容易に分別して再利用することができる。
その上、嵌合片を折曲げ舌片又は水平板材から作成することができるため、コストを削減することができる。
【００１１】
また、本発明に係る防塵カバーは、前記課題解決のために、開口部を囲む水平枠材と該水平枠材に添設されて前記開口部を塞ぐフィルム材とからなり、箱内に収納された空容器上に載置された状態で前記空容器の口部を前記フィルム材で封止することを特徴とする。
このような構成によれば、空容器上に防塵カバーを載置するだけで空容器の口部がフィルム材により封止されるため、部品コスト及び作業コストの増大を抑制しながら、空容器
内への紙粉等の塵の侵入を効果的に防止することができる。
【００１２】
ここで、前記水平枠材の周端縁から延出する折曲げ舌片に複数の取付穴を形成し、これらの取付穴を覆うように前記フィルム材を添わせた状態で前記取付穴に嵌合片を嵌合させることにより前記フィルム材を挟み込んで取り付けてなると好ましい。
このような構成によれば、接着等によらずにフィルム材を容易に取り付けて防塵カバーを構成することができるとともに、嵌合片を取り外すことによりフィルム材を水平枠材から容易に分離することができるため、これらを容易に分別して再利用することができる。
その上、嵌合片を折曲げ舌片から作成することができるため、コストを削減することができる。
【００１３】
さらに、本発明に係る防塵カバーは、前記課題解決のために、箱内に収納する空容器を整列させる、容器挿入穴が形成された矩形水平板材と、該矩形水平板材の一対の対辺から延出し、下方へ折り曲げられる一対の第１折曲げ舌片と、該第１折曲げ舌片を折り曲げた状態で、その下端部から延出し、外側かつ上方へ前記第１折曲げ舌片に添って前記矩形水平板材よりも上側まで延びる一対の第２折曲げ舌片と、該第２折曲げ舌片により支持され、前記矩形水平板材から上側に離間した状態で張架されるフィルム材とからなり、前記容器挿入穴内に挿入され、箱内に収納された空容器の口部を前記フィルム材で封止することを特徴とする。
このような構成によれば、防塵カバーの矩形水平板材に容器挿入穴が形成されていることから、この矩形水平板材により空容器を整列させることができるため、高さの低い空容器を箱内に収納する際に、防塵カバーと別体の容器挿入穴が形成された支持体又は井桁状の仕切体を設ける必要がない。
そして、矩形水平板材により空容器を整列させた状態で、矩形水平板材から上側に離間した状態で張架されたフィルム材により空容器の口部が封止されるため、部品コスト及び作業コストの増大を抑制しながら、空容器内への紙粉等の塵の侵入を効果的に防止することができる。
【００１４】
本発明に係る防塵カバーを備えた箱体は、前記課題解決のために、箱と、該箱内に収納する空容器を整列させる、前記空容器の高さよりも高さが低い、容器挿入穴が形成された支持体又は井桁状の仕切体と、水平板材及び該水平板材の下面に添設されたフィルム材からなる防塵カバーとを備え、前記箱を閉じた状態で前記空容器の口部を前記フィルム材で封止することを特徴とする。
このような構成によれば、空容器上に防塵カバーを載置するだけで空容器の口部がフィルム材により封止されるため、部品コスト及び作業コストの増大を抑制しながら、空容器内への紙粉等の塵の侵入を効果的に防止することができる。
【００１５】
ここで、前記箱内に収納された空容器の口部に対応する前記防塵カバーの水平板材の各位置に、前記口部の外径よりも大きい穴を形成してなると好ましい。
このような構成によれば、箱を閉じた状態でフィルム材を水平板材の穴内で上方へ弾性変形させることにより、輸送時等に変動荷重が作用して箱が振動してもフィルム材が空容器の口部に密着した状態を保持する効果が高くなるため、空容器内への紙粉等の塵の侵入防止効果がさらに高くなる。
その上、フィルム材を弾性変形させた状態では、空容器の水平方向への移動が規制されて隣り合う空容器同士の衝突が抑制されることから、空容器を整列するための前記支持体又は仕切体の上下方向の高さを低くすることができるため、前記支持体又は仕切体の材料使用量を少なくすることができる。
【００１６】
また、本発明に係る防塵カバーを備えた箱体は、前記課題解決のために、箱と、該箱内に収納する空容器を整列させる、前記空容器の高さよりも高さが低い、容器挿入穴が形成
された支持体又は井桁状の仕切体と、水平板材の周端縁から延出する折曲げ舌片又は前記水平板材の周端部に複数の取付穴を形成し、これらの取付穴を覆うように下側からフィルム材を添わせた状態で前記取付穴に嵌合片を嵌合させることにより前記フィルム材を挟み込んで取り付けるとともに、前記箱内に収納された空容器の口部に対応する前記水平板材の各位置に、前記口部の外径よりも大きい穴を形成してなる防塵カバーとを備え、前記箱を閉じた状態で前記空容器の口部を前記フィルム材で封止することを特徴とする。
このような構成によれば、前記防塵カバーを備えた箱体と同様の作用効果に加え、接着等によらずにフィルム材を容易に取り付けて防塵カバーを構成することができるとともに、嵌合片を取り外すことによりフィルム材を水平板材から容易に分離することができるため、これらを容易に分別して再利用することができる。
その上、嵌合片を折曲げ舌片又は水平板材から作成することができるため、コストを削減することができる。
【００１７】
ここで、前記箱を閉じた状態で前記防塵カバーを下側に押圧する押圧手段を備えてなると好ましい。
このような構成によれば、押圧手段により下側に押圧された状態で防塵カバーのフィルム材が空容器の口部に当接することから、輸送時等に変動荷重が作用して箱が振動してもフィルム材が空容器の口部に密着した状態を保持する効果がさらに高くなるため、空容器内への紙粉等の塵の侵入防止効果をさらに高めることができる。
【発明の効果】
【００１８】
以上のように、本発明に係る防塵カバー及び防塵カバーを備えた箱体によれば、簡素な構成の防塵カバーを用いて、そのフィルム材により空容器の口部が封止されるため、部品コスト及び作業コストの増大を抑制しながら、箱内に並置された空瓶等の空容器内への紙粉等の塵の侵入を効果的に防止することができるため、実用性の高い防塵カバー及び防塵カバーを備えた箱体を提供することができる。
【図面の簡単な説明】
【００１９】
【図１】本発明の実施の形態１に係る防塵カバーを備えた箱体の上面フラップを開けた状態を示す斜視図である。
【図２】同箱体の分解斜視図である。
【図３】本発明の実施の形態１に係る防塵カバーを示す斜視図であり、（ａ）は折曲げ舌片を折り曲げる前の状態を、（ｂ）は折曲げ舌片を折り曲げた状態を示している。
【図４】空容器を整列されるための支持体の斜視図であり、（ａ）は折曲げ舌片を折り曲げる前の状態を、（ｂ）は折曲げ舌片を折り曲げた状態を示している。
【図５】防塵カバーの構成説明図であり、（ａ）は水平板材及び折曲舌片の斜視図、（ｂ）は防塵カバーの分解斜視図である。
【図６】取付穴と嵌合片を拡大して示す斜視図である。
【図７】箱体の要部拡大縦断面図である。
【図８】本発明の実施の形態２に係る防塵カバーを備えた箱体の分解斜視図である。
【図９】同箱体の要部拡大縦断面図である。
【図１０】本発明の実施の形態３に係る防塵カバーを備えた箱体の要部拡大縦断面図である。
【図１１】本発明の実施の形態４に係る防塵カバーを備えた箱体の要部拡大縦断面図である。
【図１２】本発明の実施の形態５に係る防塵カバーを示す斜視図である。
【図１３】本発明の実施の形態６に係る防塵カバーを示す斜視図であり、（ａ）は使用状態、（ｂ）は防塵カバーのみを輸送若しくは運搬又は保管する際の状態を示している。
【図１４】同じく分解斜視図である。
【発明を実施するための形態】
【００２０】
次に本発明の実施の形態を添付図面に基づき詳細に説明するが、本発明は、添付図面に示された形態に限定されず特許請求の範囲に記載の要件を満たす実施形態の全てを含むものである。
【００２１】
実施の形態１．
図１及び図２に示すように、本発明の実施の形態１に係る防塵カバーを備えた箱体１１は、外箱である段ボール箱１２、段ボール箱１２内の下部に収容され、空容器であるガラス製の空瓶Ａ，Ａ，…を整列するための容器挿入穴８Ａ，８Ａ，…が形成された支持体７、及び、支持体７により整列され段ボール箱１２内に収納された状態の空瓶Ａ，Ａ，…上に載置され、空瓶Ａ，Ａ，…内への紙粉等の塵の侵入を防止する防塵カバー１により構成される。
なお、空容器は、ガラス製の空瓶Ａではなくプラスチック製の空瓶であってもよく、また、瓶ではなく他の容器であってもよい。
【００２２】
図３に示すように、防塵カバー１は、矩形状の水平板材２、水平板材２の下面に添設された矩形状のフィルム材３、水平板材２の４辺である周端縁２Ｄ，２Ｄ，…から延出する折曲げ舌片４，４，…からなり、水平板材２には、空瓶Ａ，Ａ，…の口部（入口）Ｂ，Ｂ，…に対応する位置に、口部Ｂ，Ｂ，…の外径よりも大きい穴２Ａ，２Ａ，…が形成されており、図３（ｂ）及び図７に示すように折曲げ舌片４，４，…を下側に折り曲げて折曲げ舌片４，４，…の外面を段ボール箱１２の側壁１２Ｃの内面に当接させた状態で空瓶Ａ，Ａ，…上に載置される。
【００２３】
図４に示すように、支持体７は、矩形状の水平板材８、水平板材８の４辺である周端縁８Ｂ，８Ｂ，…から延出する折曲げ舌片９，９，…からなり、水平板材８には、空瓶Ａ，Ａ，…を整列するための容器挿入穴８Ａ，８Ａ，…が形成されており、図４（ｂ）及び図７に示すように折曲げ舌片９，９，…を下側に折り曲げて折曲げ舌片９，９，…の外面を段ボール箱１２の側壁１２Ｃの内面に当接させた状態で段ボール箱１２内の下部に収容される。
なお、空瓶Ａ，Ａ，…を整列させる支持体７に代えて、井桁状の仕切体を用いてもよい。
【００２４】
ここで、防塵カバー１の水平板材２及び折曲げ舌片４，４，…並びに支持体７の水平板材８及び折曲げ舌片９，９，…は、２〜３ｍｍ程度の厚さの段ボールシート、コートボール紙又は樹脂シート等により形成され、本実施の形態では、低コスト化等のために段ボールシートを採用している。
また、防塵カバー１のフィルム材３は、１５〜３０μｍ程度の厚さのポリエチレン、ポリ塩化ビニリデン若しくはセロファン等のフィルム又はポリ乳酸等の生分解性プラスチックのフィルム等により形成され、本実施の形態では、低コスト化等のために梱包用フィルムとして一般的なポリエチレンフィルムを採用している。
なお、フィルム材３は、図１に示すように透明であるが、半透明又は不透明であってもよい。
【００２５】
次に、防塵カバー１におけるフィルム材３の取付手段の詳細について説明する。
図５（ａ）に示すように、トムソン加工により水平板材２、折曲げ舌片４，４，…及び穴２Ａ，２Ａ，…をくり抜く際に、折曲げ舌片９，９，…の水平板材８に近い部分を所定の取付穴５の形状（例えば、凸字状）にくり抜き（くり抜き片Ｃ，Ｃ，…）、折曲げ舌片４，４，…の端縁部を、くり抜き片Ｃと同様の形状で且つくり抜き片Ｃよりも若干大きな形状にくり抜き（くり抜き片Ｄ，Ｄ，…）、くり抜き片Ｄ，Ｄ，…を取付穴５，５，…に
嵌合する嵌合片６，６，…としている。
【００２６】
ここで、取付穴５（くり抜き片Ｃ）及び嵌合片６（くり抜き片Ｄ）の大きさについては、図６に示すように、水平板材２の辺（周端縁２Ｄ）に沿う方向の取付穴５の長さＬ１よりも嵌合片６の長さＬ２を大きく、水平板材２の辺に直交する方向の取付穴５の長さＷ１よりも嵌合片６の長さＷ２を大きくしており、例えばＬ１＝４０ｍｍに対してＬ２＝４１ｍｍ程度、Ｗ１＝１５ｍｍに対してＷ２＝１６ｍｍ程度と、長さＬ２，Ｗ２の両方を長さＬ１，Ｗ１よりも１ｍｍ程度大きくしているが、長さＬ２，Ｗ２の一方のみを長さＬ１，Ｗ１よりも大きくしてもよい。
また、長さＬ２，Ｗ２を長さＬ１，Ｗ１に対して大きく（Ｌ２＞Ｌ１，Ｗ２＞Ｗ１）する程度（比率）は、嵌合片６，６，…の取付穴５，５，…への嵌合させやすさ及びフィルム材３の抜け止め効果を勘案して設定する。
なお、くり抜き片Ｃ（取付穴５）及びくり抜き片Ｄ（嵌合片６）の形状は、凸形状に限定されるものではなく、矩形状、楕円形状等の他の形状であってもよい。
【００２７】
このようなフィルム材３の取付手段により、図５（ｂ）に示すように、水平板材２の下面にフィルム材３を添わせ、その下側から嵌合片６，６，…を取付穴５，５，…に嵌合させることにより、フィルム材３を挟み込んで容易に取り付けることができる。
また、嵌合片６，６，…の大きさを取付穴５，５，…の大きさよりも、Ｌ２＞Ｌ１，Ｗ２＞Ｗ１と上述のとおり大きく設定していることから、嵌合片６，６，…が弾性変形した状態で取付穴５，５，…に嵌合するため、挟み込まれるフィルム材３の抜け止め効果を高めることができる。
ここで、取付穴５，５，…を水平板材２に、その周端縁２Ｄ，２Ｄ，…の近傍に形成するようにしてもよく、水平板材２をくり抜いて嵌合片６，６，…を製作するようにしてもよい。
【００２８】
以上のようなフィルム材３の取付手段によれば、接着等によらずにフィルム材３を容易に取り付けて防塵カバー１を構成することができるとともに、嵌合片６，６，…を取り外すことによりフィルム材３を水平板材２及び折曲げ舌片４，４，…から容易に分離することができるため、これらを容易に分別して再利用することができる。
その上、折曲げ舌片４，４，…又は水平板材２から嵌合片６，…を作成することができるため、コストを削減することができる。
なお、防塵カバー１におけるフィルム材３の取付手段は、上述の嵌合片６，６，…を用いた取付手段がより好ましいものではあるが、このような取付手段に限定されるものではなく、フィルム材３を接着剤により取り付けてもよいし、水平板材２及び折曲げ舌片４，４を例えばコートボール紙により製作して、フィルム材３を熱溶着により接合してもよい。
【００２９】
以上のような防塵カバー１及び箱体１１の構成によれば、空瓶Ａ，Ａ，…上に防塵カバー１を載置するだけで空瓶Ａ，Ａ，…の口部Ｂ，Ｂ，…がフィルム材３により塞がれるため、部品コスト及び作業コストの増大を抑制しながら、空瓶Ａ，Ａ，…内への紙粉等の塵の侵入を効果的に防止することができる。
また、図７に示すように、図１及び図２の段ボール箱１２の天面内フラップ１２Ａ，１２Ａ及び天面外フラップ１２Ｂ，１２Ｂを閉じた梱包完了状態で、フィルム材３が空瓶Ａ，Ａ，…により水平板材２の穴２Ａ，２Ａ，…内で上方へ弾性変形した状態となるようにすれば、輸送時等に変動荷重が作用して段ボール箱１２が振動してもフィルム材３が空瓶Ａ，Ａ，…の口部Ｂ，Ｂ，…に密着した状態を保持する効果が高くなるため、空瓶Ａ，Ａ，…内への紙粉等の塵の侵入防止効果がさらに高くなる。
さらに、上述のとおりフィルム材３を弾性変形させた状態では、空瓶Ａ，Ａ，…の水平方向への移動が規制されて隣り合う空瓶Ａ，Ａ同士の衝突が抑制されることから、空瓶Ａ
，Ａ，…を整列するための支持体７又は井桁状の仕切体の上下方向の高さを低くすることができるため、支持体７又は井桁状の仕切体の材料使用量を少なくすることができる。
【００３０】
以上の説明においては、穴２Ａ，２Ａ，…が形成された水平板材２の下面にフィルム材３を添設する場合を示したが、用途によっては穴２Ａ，２Ａ，…をなくしてもよい。
また、フィルム材３は水平板材２の下面に添設させるのが好ましいものであるが、穴２Ａ，２Ａ，…が形成された水平板材２において、フィルム材３を水平板材２の上面に添設させてもよい。
【００３１】
実施の形態２．
図８及び図９に示すように、本発明の実施の形態２に係る防塵カバーを備えた箱体１１は、ダンボール箱１２を閉じた状態で防塵カバー１を下側に押圧する押圧手段である水平板材１３を備えたことを特徴としており、図８及び図９において実施の形態１の図１〜図７と同一符号は、同一又は相当部分を示している。
水平板材１３には、防塵カバー１の穴２Ａ，２Ａ，…に対応する位置に、穴１３Ａ，１３Ａ，…が形成されており、図９に示すように、図８の段ボール箱１２の天面内フラップ１２Ａ，１２Ａ及び天面外フラップ１２Ｂ，１２Ｂを閉じた梱包完了状態で、天面内フラップ１２Ａ，１２Ａの下側に位置する水平板材１３により防塵カバー１が下側に押し下げられる。
【００３２】
以上のような構成によっても実施の形態１と同様の作用効果を奏するとともに、図９に示すように、押圧手段である水平板材１３により下側に押圧された状態で防塵カバー１のフィルム材３が空瓶Ａ，Ａ，…の口部Ｂ，Ｂ，…に当接することから、フィルム材３の弾性変形量が大きくなり、輸送時等に変動荷重が作用してダンボール箱１２が振動してもフィルム材３が空瓶Ａ，Ａ，…の口部Ｂ，Ｂ，…に密着した状態を保持する効果がさらに高くなるため、空瓶Ａ，Ａ，…内への紙粉等の塵の侵入防止効果をさらに高めることができる。
【００３３】
実施の形態３．
図１０に示すように、本発明の実施の形態３に係る防塵カバーを備えた箱体１１は、その防塵カバー１の水平板材２に、実施の形態１及び２における穴２Ａ，２Ａ，…ではなく、水平板材２下面の空瓶Ａ，Ａ，…の口部Ｂ，Ｂ，…に対応する位置に、口部Ｂ，Ｂ，…の外径よりも大きい凹部２Ｂ，２Ｂ，…を形成したことを特徴としており、図１０において実施の形態１の図１〜図７と同一符号は、同一又は相当部分を示している。
なお、天面内フラップ１２Ａ，１２Ａの下側にはスペーサ１４が設けられているため、水平板材２下面に凹部２Ｂ，２Ｂ，…を形成することにより上側に突出する部分と天面内フラップ１２Ａ，１２Ａとの干渉を防止している。
以上のような構成によっても実施の形態１と同様の作用効果を奏するとともに、凹部２Ｂ，２Ｂ，…の深さを深くしてスペーサ１４の厚さを厚くすることにより、スペーサ１４が押圧手段として機能するため実施の形態２と同様の作用効果を奏する。
【００３４】
実施の形態４．
図１１に示すように、本発明の実施の形態４に係る防塵カバーを備えた箱体１１は、その防塵カバー１の水平板材２に、実施の形態１及び２における穴２Ａ，２Ａ，…及び実施の形態３の凹部２Ｂ，２Ｂ，…ではなく、水平板材２下面の空瓶Ａ，Ａ，…の口部Ｂ，Ｂ，…に対応する位置に、口部Ｂ，Ｂ，…内に入る凸部２Ｃ，２Ｃ，…を形成したことを特徴としおり、図１１において実施の形態１の図１〜図７と同一符号は、同一又は相当部分を示している。
以上のような構成によっても実施の形態１と同様の作用効果を奏する。
なお実施の形態４では、空瓶Ａ，Ａ，…の口部Ｂ，Ｂ，…内に凸部２Ｃ，２Ｃ，…が入
るため、空瓶Ａ，Ａ，…の水平方向への移動が規制されて隣り合う空瓶Ａ，Ａ同士の衝突が抑制される。
【００３５】
実施の形態５．
図１２に示すように、本発明の実施の形態５に係る防塵カバー１は、実施の形態１及び２における穴２Ａ，２Ａ，…、実施の形態３における凹部２Ｂ，２Ｂ，…及び実施の形態４における凸部２Ｃ，２Ｃ，…が形成された水平板材２並びにその下面に添設されたフィルム材３からなる構成と異なり、空瓶Ａ，Ａ，…の口部Ｂ，Ｂの全てを覆う大きさの開口１０Ａが形成された水平枠材１０並びに水平枠材１０の下面に添設されて開口部１０Ａを塞ぐフィルム材３からなることを特徴としており、図１２において実施の形態１の図２、図３及び図５と同一符号は、同一又は相当部分を示している。
なお、フィルム材３は、水平枠材１０の下面ではなく上面に添設させてもよい。
【００３６】
以上のような本発明の実施の形態５に係る防塵カバー１を備えた箱体１１によっても、薬品又は食品等を収容する容器がガラス製の空瓶Ａ，Ａ，…ではなく、例えばプラスチック製の軽量容器である場合等においては、実施の形態１と同様の作用効果を奏する。
また、空瓶Ａ，Ａ，…を整列するための支持体７（例えば、図７参照。）の高さを高くしたり、適切な高さの井桁状の仕切体を使用することにより、薬品又は食品等を収容する容器がガラス製の空瓶Ａ，Ａ，…であっても、実施の形態５に係る防塵カバー１を使用することができる。
さらに、実施の形態５に係る防塵カバー１を備えた箱体１１において、ダンボール箱１２を閉じた状態で防塵カバー１を下側に押圧する押圧手段を備えるようにしてもよい。
【００３７】
以上の説明においては、防塵カバー１が折曲げ舌片４，４，…を備えている場合について説明したが、折曲げ舌片４，４，…は必須の構成ではなく、防塵カバー１を、水平板材２及び水平板材２の下面に添設されたフィルム材３、又は、水平枠材１０及び水平枠材１０の下面又は上面に添設されたフィルム材３のみにより構成してもよい。
【００３８】
実施の形態６．
図１３及び図１４に示すように、本発明の実施の形態６に係る防塵カバー１は、高さの低い空容器（例えば空瓶）を整列させる容器挿入穴１５Ａ，１５Ａ，…が形成された矩形状の水平板材１５と、該水平板材１５の一対の対辺から延出し、下方へ折り曲げられる一対の第１折曲げ舌片１６，１６と、第１折曲げ舌片１６，１６を折り曲げた状態で、その下端部から延出し、外側かつ上方へ第１折曲げ舌片１６，１６に添って水平板材１５よりも上側まで延びる一対の第２折曲げ舌片１７，１７と、第２折曲げ舌片１７，１７により支持され、図１３（ａ）に示す使用状態で水平板材１５から上側に離間した状態で張架されるフィルム材３とからなることを特徴としており、図１３及び図１４において実施の形態１の図３（ａ）及び図５と同一符号は、同一又は相当部分を示している。
【００３９】
図１４に示すように、矩形水平板材１５に対し、上述のように第１折曲げ舌片１６，１６及び第２折曲げ舌片１７，１７を折り曲げた状態とし、この状態における第２折曲げ舌片１７，１７の上端縁間にわたってフィルム材３を張架し、フィルム材３を下側へ折り曲げて第２折曲げ舌片１７，１７の外側へ添わせた状態とし、さらに外側から嵌合片６，６，…を取付穴５，５，…に嵌合させることにより、フィルム材３を挟み込んで図１３（ａ）に示すように容易に取り付けることができ、フィルム材３は第２折曲げ舌片１７，１７により支持される。
また、図１３（ａ）に示す防塵カバー１の使用状態から、第１折曲げ舌片１６，１６及び第２折曲げ舌片１７，１７を同方向へ倒すことにより、図１３（ｂ）に示すように防塵カバー１全体がシート状になることから、このような形態とした防塵カバー１，…を積み重ねても嵩張らないため、輸送若しくは運搬又は保管する際の効率を高めることができる
。
【００４０】
以上のような本発明の実施の形態６に係る防塵カバー１によれば、防塵カバー１の矩形水平板材１５に容器挿入穴１５Ａ，１５Ａ，…が形成されていることから、この矩形水平板材１５により空容器を整列させることができるため、高さの低い空容器を箱内に収納する際に、防塵カバー１と別体の容器挿入穴が形成された支持体又は井桁状の仕切体を設ける必要がない。
そして、矩形水平板材１５により空容器を整列させた状態で、矩形水平板材１５から上側に離間した状態で張架されたフィルム材３により空容器の口部が封止されるため、部品コスト及び作業コストの増大を抑制しながら、空容器内への紙粉等の塵の侵入を効果的に防止することができる。
【符号の説明】
【００４１】
Ａ  空瓶（空容器）
Ｂ  口部
Ｃ，Ｄ  くり抜き片
１  防塵カバー
２  水平板材
２Ａ  穴
２Ｂ  凹部
２Ｃ  凸部
２Ｄ  周端縁
３  フィルム材
４  折曲げ舌片
５  取付穴
６  嵌合片
７  支持体
８  水平板材
８Ａ  容器挿入穴
８Ｂ  周端縁
９  折曲舌片
１０  水平枠材
１０Ａ  開口部
１１  箱体
１２  段ボール箱（外箱）
１２Ａ  天面内フラップ
１２Ｂ  天面外フラップ
１２Ｃ  側壁
１３  水平板材（押圧手段）
１３Ａ  穴
１４  スペーサ
１５  水平板材
１５Ａ  容器挿入穴
１６  第１折曲げ舌片
１７  第２折曲げ舌片
【図１】
2011016552.tif 000003
【図２】
2011016552.tif 000004
【図３】
2011016552.tif 000005
【図４】
2011016552.tif 000006
【図５】
2011016552.tif 000007
【図６】
2011016552.tif 000008
【図７】
2011016552.tif 000009
【図８】
2011016552.tif 000010
【図９】
2011016552.tif 000011
【図１０】
2011016552.tif 000012
【図１１】
2011016552.tif 000013
【図１２】
2011016552.tif 000014
【図１３】
2011016552.tif 000015
【図１４】
2011016552.tif 000016